(57)【要約】【課題】  ロッキングやスライドなどのようなＡＬＣパネルの自由な運動を妨げず、ＡＬＣパネルの破損を生じない足場つなぎの取付構造を提供する。【解決手段】  ＡＬＣパネル（１）からなる外壁用の足場つなぎ（７）の取付構造において、ＡＬＣパネル（１）を建物躯体（２）に取り付けるための下地鋼材（３）と、下地鋼材（３）の垂直面に、ＡＬＣパネル（１）の水平目地部と同じ水準で設けられた透孔（３ａ）と、透孔（３ａ）と連通し、下地鋼材（３）の垂直面の屋内側に溶接された六角ナット（５）を有し、足場つなぎ（７）のアンカー部（８）の先端にある雄ねじ部（９）を透孔（３ａ）に挿通し、六角ナット（５）に螺着させる。【選択図】図１
2008202213.tif 000002
【特許請求の範囲】
【請求項１】
ＡＬＣパネルからなる外壁用の足場つなぎの取付構造において、前記ＡＬＣパネルを建物躯体に取り付けるための下地鋼材と、該下地鋼材の垂直面に、前記ＡＬＣパネルの水平目地部と同じ水準で設けられた透孔と、該透孔と連通し、前記下地鋼材の垂直面の屋内側に溶接されたナットを有することを特徴とする足場つなぎの取付構造。
【請求項２】
前記下地鋼材の垂直面の屋外側に溶接され、前記ＡＬＣパネルと前記下地鋼材の隙間幅よりも小さい高さを有するナットをさらに有することを特徴とする請求項１に記載の足場つなぎの取付構造。
【請求項３】
ＡＬＣパネルからなる外壁用の足場つなぎの取付構造において、該足場つなぎは前記ＡＬＣパネルの水平目地部に挿入され、かつ、先端に雄ねじ部を有するアンカー部を有し、前記ＡＬＣパネルを建物躯体に取り付けるための下地鋼材の垂直面に、前記ＡＬＣパネルの水平目地部と同じ水準で透孔が設けられており、前記雄ねじ部が該透孔に挿通され、該雄ねじ部に前記下地鋼材の屋内側よりナットを螺合し、かつ、前記下地鋼材の屋外側より、前記ＡＬＣパネルと前記下地鋼材の隙間幅よりも小さい高さを有するナットを螺合し、両ナットが前記下地鋼材の垂直面を挟持することにより、前記足場つなぎを前記下地鋼材に固定している足場つなぎの取付構造。
【発明の詳細な説明】
【技術分野】
【０００１】
本発明は、ＡＬＣパネルからなる外壁用の足場つなぎの取付構造に関する。
【背景技術】
【０００２】
ＡＬＣパネルを用いて、建物の外壁を構築する施工を行う場合、建物の周囲に外部足場を使用するのが一般的である。かかる足場を建物躯体に接続させる場合には、予め単管などを用いて専用のクランプにより取り付けている。しかしながら、壁の施工が進むと、これらの単管を外して、建物躯体に足場つなぎ用の金物を取り付け、足場つなぎを用いて、足場つなぎのアンカー部材を前記金具に螺着して、足場を建物躯体に接続させる必要がある。
【０００３】
従来、例えば、図３に示すように、ＡＬＣパネル（１）を建物躯体（２）に取り付けるＬ字アングル（３）などの下地鋼材に、長ナット（４）を溶接し、足場つなぎ（７）のアンカー部（８）の雄ねじ（９）を該長ナット（４）などに螺着させることにより、足場つなぎ（７）を取り付けている。
【０００４】
その他、図４に示す足場つなぎ用の専用金物（１０）のほか、特許文献１や特許文献２に示される専用の部材を用いて、足場つなぎを建物躯体に接続させる場合もある。
【０００５】
これらの長ナットや専用部材の一部は、施工中ないしは施工後に、上下のＡＬＣパネルの水平目地部において、ＡＬＣパネルの屋内側面よりも屋外側に伸長して存在することになる。挿入筋構法のように、ＡＬＣパネルの運動を想定しない場合には、これらが屋外側に突出しても支障はないが、近年ではロッキング構法などのように、ＡＬＣパネルの自由な運動を許容する構法が多くなり、ＡＬＣパネルの水平目地部に突出し固定されている長ナットなどが、施工中ないしは施工後において、ＡＬＣパネルの自由な運動を阻害したり、あるいは、ＡＬＣパネルの運動により、ＡＬＣパネルを破損させてしまうという問題がある。
【０００６】
ＡＬＣパネルの屋内側面とＬ字アングルなどの下地鋼材との隙間は、一般的には６ｍｍ程度であるため、図５に示すように、かかる隙間に収まるように、高さが該隙間より小さい六角ナットをＬ字アングルなどの下地鋼材に溶接し、外壁の屋外側から足場つなぎのアンカー部を該六角ナットに固定することが考えられる。しかし、このように薄い六角ナットでは、足場つなぎのアンカー部と六角ナットとのはめあい長さが短く、強度が見込めないことから、安全上の支障があるという問題がある。
【０００７】
一方、特許文献３には、建物躯体である梁の垂直面に予め設けられている透孔を利用して、連結ボルトを梁に取り付け、かかる連結ボルトの屋外側に取り付けたナットに足場つなぎを接続することが記載されている。しかし、取付け高さの関係から、ＡＬＣパネル間の縦目地を通すことになり、その場合には、ＡＬＣパネル間の目地部に孔を空ける必要があるという問題がある。
【特許文献１】特開平５−３４００８６号公報
【特許文献２】特開平９−６７９２７号公報
【特許文献３】特開平９−１０５２３０号公報
【発明の開示】
【発明が解決しようとする課題】
【０００８】
本発明の目的は、施工中および施工後においても、ロッキングやスライドなどのようなＡＬＣパネルの自由な運動を妨げず、ＡＬＣパネルの破損を生じない足場つなぎの取付構造を提供することである。
【課題を解決するための手段】
【０００９】
本発明に係る足場つなぎの取付構造は、ＡＬＣパネルを建物躯体に取り付けるための下地鋼材と、該下地鋼材の垂直面に、前記ＡＬＣパネルの水平目地部と同じ水準で設けられた透孔と、該透孔と連通し、前記下地鋼材の垂直面の屋内側に溶接されたナットを有することを特徴とする。
【００１０】
足場つなぎのアンカー部を当該透孔に挿通し、前記ナットに螺着固定することにより、足場つなぎを建物躯体に接続固定することができる。
【００１１】
この場合、前記下地鋼材の垂直面の屋外側に溶接され、前記ＡＬＣパネルと前記下地鋼材の隙間幅よりも小さい高さを有するナットをさらに有することが好ましい。
【００１２】
また、本発明の別態様にかかる足場つなぎの取付構造は、該足場つなぎがＡＬＣパネルの水平目地部に挿入され、かつ、先端に雄ねじ部を有するアンカー部を有し、前記ＡＬＣパネルを建物躯体に取り付けるための下地鋼材の垂直面に、前記ＡＬＣパネルの水平目地部と同じ水準で透孔が設けられており、前記雄ねじ部が該透孔に挿通され、該雄ねじ部に前記下地鋼材の屋内側よりナットを螺合し、かつ、前記下地鋼材の屋外側より、前記ＡＬＣパネルと前記下地鋼材の隙間幅よりも小さい高さを有するナットを螺合し、両ナットが前記下地鋼材の垂直面を挟持することにより、前記足場つなぎを前記下地鋼材に固定していることを特徴とする。なお、かかる場合には、点溶接などにより、両ナットを前記下地鋼材に取り外し可能に固定することが好ましい。
【発明の効果】
【００１３】
本発明の足場つなぎの取付構造により、ロッキングやスライドなどのようなＡＬＣパネルの自由な運動を妨げないため、施工中および施工後において、ＡＬＣパネルの破損を生ずることなく、足場つなぎを用いて、外部足場を建物躯体に接続することができる。
【発明を実施するための最良の形態】
【００１４】
本発明の一実施例について、図面を参照して説明する。
【００１５】
図１は、本発明の足場つなぎの取付構造の一実施例を示す斜視図である。上段のＡＬＣパネルは、説明のために、図示を省略している。
【００１６】
本発明の足場つなぎの取付構造は、ＡＬＣパネル（１）を建物躯体である梁（２）に取り付けるための下地鋼材であるＬ字アングル（３）と、Ｌ字アングル（３）の垂直面に、ＡＬＣパネル（１）の水平目地部と同じ水準で設けられた透孔（３ａ）と、該透孔（３ａ）と連通し、Ｌ字アングル（３）の垂直面の屋内側に溶接された六角ナット（５）を有する。
【００１７】
当該透孔（３ａ）は、ＡＬＣパネル（１）の水平目地部と同じ水準に設けられればよく、一般的にはＬ字アングル（３）などの下地鋼材に設ける。透孔（３ａ）の大きさは、足場つなぎ（７）のアンカー部（８）が挿通可能であり、かつ、六角ナット（５）を該透孔の周囲に溶接により固定しうる大きさであればよい。また、六角ナット（５）は足場つなぎ（７）を下地鋼材に確実に固定しうる高さ（軸方向の長さ）を備えていればよく、高さは１０ｍｍ以上あることが好ましい。また、長ナットや袋ナットを用いてもよい。
【００１８】
足場つなぎ（７）のアンカー部（８）の雄ねじ部（９）を透孔（３ａ）に挿通させ、さらに該雄ねじ部（９）を六角ナット（５）に螺着させることにより、足場つなぎ（７）をＬ字アングル（３）に固定することができる。
【００１９】
図２は、本発明の足場つなぎの取付構造の異なる実施例を示す斜視図である。上段のＡＬＣパネルは、説明のために、図示を省略している。
【００２０】
図２に示した一実施例は、六角ナットに代えて、袋ナット（６）を使用したことと、足場つなぎ（７）のアンカー部（８）の先端の雄ねじ部（９）に、屋外側からＬ字アングル（３）に固定する六角ナット（５）を有すること以外は、図１に示した実施例と同様である。なお、かかる場合、該六角ナット（５）の高さは、ＡＬＣパネル（１）とＬ字アングル（３）との隙間幅よりも小さくする必要がある。
【００２１】
なお、場合によっては、六角ナット（５）と袋ナット（６）をＬ字アングル（３）に溶接により完全に固定することなく、六角ナット（５）と袋ナット（６）を屋内側と屋外側の両方から、Ｌ字アングル（３）の垂直面を挟み込むようにして、足場つなぎ（７）のアンカー部（８）をＬ字アングル（３）に対して固定してもよい。さらに、この場合、六角ナット（５）と袋ナット（６）を点溶接などの手段により、Ｌ字アングル（３）に接合させることが望ましい。
【００２２】
以下に、本発明の足場つなぎを取り付ける方法について、図２を参照にして説明する。
【００２３】
ＡＬＣパネル（１）の施工前に、下段のＡＬＣパネル（１）の上面であり、水平目地部となる所定の位置に、図示しないパンチャーなどの工具を用いて、足場つなぎ（７）のアンカー部（８）の先端にある雄ねじ部（９）よりもやや大きめの透穴（３ａ）を開け、Ｌ字アングル（３）の屋内側に、袋ナット（６）を溶接する。その後、上段のＡＬＣパネル（１）を、Ｌ字アングル（３）に取り付けられた図示しない自重受け金具などに載せる。
【００２４】
その後、水平目地部にあたる上下のＡＬＣパネル（１）の間隙を通して、屋外側から足場つなぎ（７）の先端の雄ネジ（９）を挿入し、六角ナット（５）を回し入れた後、袋ナット（６）に回し入れて、足場つなぎ（７）の軸方向寸法を調整してから、六角ナット（５）を締めて、固定する。
【００２５】
足場つなぎ（７）が不要になった時点で、屋外側から足場つなぎ（７）を反対方向に回して、六角ナット（５）および袋ナット（６）から足場つなぎ（７）を外して撤去する。
【００２６】
足場つなぎを除去した後には、パネル間目地に打設されたシーリング材に孔が空いた状態となり、防水上、好ましくなく、既に打設されたシーリング材と同じ材質のシーリング材で孔を塞ぎ、また、必要に応じて仕上げ塗材を塗る。
【００２７】
以上のように、本発明により、容易に取り付けることができ、かつ、容易に取り外すことができ、施工中ないし施工後においても、ＡＬＣパネルの自由な運動を妨げることのない足場つなぎの取付構造が得られる。
【図面の簡単な説明】
【００２８】
【図１】本発明の足場つなぎの取付構造の一実施例を示す斜視図である。
【図２】本発明の足場つなぎの取付構造の異なる実施例を示す斜視図である。
【図３】従来の足場つなぎの取付構造を示す斜視図である。
【図４】従来の足場つなぎ用の専用金物を示す斜視図である。
【図５】従来の足場つなぎの取付構造を示す斜視図である。
【符号の説明】
【００２９】
１  ＡＬＣパネル
２  建築物躯体
３  鋼材
３ａ  透孔
４  長ナット
５  六角ナット
６  袋ナット
７  足場つなぎ
８  アンカー部
９  雄ねじ
１０  専用金物
【図１】
2008202213.tif 000003
【図２】
2008202213.tif 000004
【図３】
2008202213.tif 000005
【図４】
2008202213.tif 000006
【図５】
2008202213.tif 000007